(57)【要約】【課題】コンテンツの権利を正確に管理する。【解決手段】権利管理装置１は、コンテンツに関する権利者を識別する権利者識別情報とコンテンツの放送時間の情報とを対応付けて記憶する。また、権利管理装置１は、コンテンツが配信された放送時間の情報を取得する。権利管理装置１は、取得した放送時間の情報に対応付けられている権利者識別情報を読み出し、読み出した権利者識別情報によって示される権利者が受け取る権利料を算出する。【選択図】図１
2015136004.tif 000002
【特許請求の範囲】
【請求項１】
コンテンツに関する権利者を識別する権利者識別情報と前記コンテンツの放送時間の情報とを対応付けて記憶する記憶部と、
前記コンテンツが配信された放送時間の情報を取得する時間情報取得部と、
前記時間情報取得部によって取得された前記放送時間の情報に対応付けられている前記権利者識別情報を前記記憶部から読み出し、読み出した前記権利者識別情報によって示される権利者が受け取る権利料を算出する算出部と、
を具備することを特徴とする権利管理装置。
【請求項２】
前記算出部は、前記コンテンツが配信された前記放送時間の情報に対応付けられているすべての権利者識別情報を前記記憶部から読み出し、読み出した権利者識別情報の各々に対応付けられている権利者が受け取るべき権利料を算出する、
ことを特徴とする請求項１に記載の権利管理装置。
【請求項３】
前記算出部は、配信された前記コンテンツの単位時間毎の単価を記憶装置から読み出し、読み出した前記単位時間毎の単価を、当該単位時間が属する放送時間の情報に対応付けられたすべての権利者に按分することによって、前記権利料を算出する、
ことを特徴とする請求項２に記載の権利管理装置。
【請求項４】
前記コンテンツが配信された放送時間を検出する検出部、
をさらに具備し、
前記時間情報取得部は、前記検出部によって検出された放送時間の情報を取得する、
ことを特徴とする請求項１から請求項３のいずれか一項に記載の権利管理装置。
【請求項５】
コンピュータを
コンテンツに関する権利者を識別する権利者識別情報と前記コンテンツの放送時間の情報とを対応付けて記憶する記憶部と、
前記コンテンツが配信された放送時間の情報を取得する時間情報取得部と、
前記時間情報取得部によって取得された前記放送時間の情報に対応付けられている前記権利者識別情報を前記記憶部から読み出し、読み出した前記権利者識別情報によって示される権利者が受け取る権利料を算出する算出部と、
として機能させるためのプログラム。
【発明の詳細な説明】
【技術分野】
【０００１】
本発明は、権利管理装置およびプログラムに関する。
【背景技術】
【０００２】
近年、ネットワークの転送速度の高速化、広帯域化、および利用料金の低価格化が進んだことにより、映像や音声などの容量の大きなファイルを、ネットワークを介して配信するサービスが行われている。このようなサービスの一例として、ビデオ・オン・デマンド（ＶＯＤ、Ｖｉｄｅｏ  Ｏｎ  Ｄｅｍａｎｄ）サービスがある。ＶＯＤサービスにおいて、サービスの利用者は、ネットワークに接続された端末を操作して、サービスの提供者が提供する映像や音声などのコンテンツから所望のコンテンツを選択する。そして、選択したコンテンツをネットワークを介して受信することにより、利用者は、当該コンテンツを視聴することができる。これまでに、ＶＯＤサービスのようなコンテンツ配信サービスに関して、コンテンツ内の任意の場面を再生するための技術が公開されている（例えば、特許文献１および非特許文献１参照）。
【先行技術文献】
【特許文献】
【０００３】
【特許文献１】特開２０１３−５５３７４号公報
【非特許文献】
【０００４】
【非特許文献１】竹内、黄、金子、和泉、「タイムシフトザッピング視聴サービスのためのキャッシング制御手法の検討」、２０１２年電子情報通信学会総合大会、Ｂ−６−９
【発明の概要】
【発明が解決しようとする課題】
【０００５】
しかしながら、従来の技術では、必ずしもコンテンツの権利者に対してコンテンツの利用を反映した権利料を分配することができないという課題がある。従来、コンテンツの権利処理は、主に、コンテンツを最小単位として行われてきたが、コンテンツの権利者は、コンテンツよりもさらに細かい単位で変わりうる。例えば、コンテンツが放送番組である場合、場面毎に出演者が異なったり、放送番組には直接関与していない第三者が制作した映像や音楽、効果音などが番組の一部にのみ挿入されたりすることは珍しくない。従って、コンテンツの権利をより正確に管理するには、利用者が視聴した場面に係る権利者に対して権利料が分配されることが望ましい。
【０００６】
本発明は、このような事情を考慮してなされたもので、コンテンツの権利を正確に管理することができる権利管理装置およびプログラムを提供する。
【課題を解決するための手段】
【０００７】
［１］本発明の一態様は、コンテンツに関する権利者を識別する権利者識別情報と前記コンテンツの放送時間の情報とを対応付けて記憶する記憶部と、前記コンテンツが配信された放送時間の情報を取得する時間情報取得部と、前記時間情報取得部によって取得された前記放送時間の情報に対応付けられている前記権利者識別情報を前記記憶部から読み出し、読み出した前記権利者識別情報によって示される権利者が受け取る権利料を算出する算出部と、を具備することを特徴とする権利管理装置である。
【０００８】
［２］本発明の一態様は、上述した権利管理装置であって、前記算出部は、前記コンテンツが配信された前記放送時間の情報に対応付けられているすべての権利者識別情報を前記記憶部から読み出し、読み出した権利者識別情報の各々に対応付けられている権利者が受け取るべき権利料を算出する、ことを特徴とする。
【０００９】
［３］本発明の一態様は、上述した権利管理装置であって、前記算出部は、配信された前記コンテンツの単位時間毎の単価を記憶装置から読み出し、読み出した前記単位時間毎の単価を、当該単位時間が属する放送時間の情報に対応付けられたすべての権利者に按分することによって、前記権利料を算出する、ことを特徴とする。
【００１０】
［４］本発明の一態様は、上述した権利管理装置であって、前記コンテンツが配信された放送時間を検出する検出部、をさらに具備し、前記時間情報取得部は、前記検出部によって検出された放送時間の情報を取得する、ことを特徴とする。
【００１１】
［５］本実施形態に一態様は、コンピュータをコンテンツに関する権利者を識別する権利者識別情報と前記コンテンツの放送時間の情報とを対応付けて記憶する記憶部と、前記コンテンツが配信された放送時間の情報を取得する時間情報取得部と、前記時間情報取得部によって取得された前記放送時間の情報に対応付けられている前記権利者識別情報を前記記憶部から読み出し、読み出した前記権利者識別情報によって示される権利者が受け取る権利料を算出する算出部と、として機能させるためのプログラムである。
【発明の効果】
【００１２】
本発明によれば、コンテンツの権利を正確に管理することができる。
【図面の簡単な説明】
【００１３】
【図１】本発明の第１の実施形態に係る権利管理装置とその周辺装置との概略機能構成の一例を示すブロック図である。
【図２】第１の実施形態に係る放送番組視聴装置によるコンテンツの再生を操作するためのインタフェースの一例を示す図である。
【図３】第１の実施形態に係るコンテンツとタグとの関係の一例を示すタイミングチャートである。
【図４】第１の実施形態に係るタグ情報の一例を示す図である。
【図５】第１の実施形態に係る権利管理装置による処理手順の一例を示すフローチャートである。
【図６】第１の実施形態に係る権利管理装置による権利料算出のための処理手順の一例を示すフローチャートである。
【図７】本発明の第２の実施形態に係る権利管理装置とその周辺装置との概略機能構成の一例を示すブロック図である。
【図８】本発明の第３の実施形態に係る権利管理装置とその周辺装置との接続の態様の一例を示すブロック図である。
【図９】第３の実施形態に係る放送番組管理装置の概略機能構成の一例を示すブロック図である。
【図１０】第３の実施形態に係る権利管理装置の概略機能構成の一例を示すブロック図である。
【図１１】第３の実施形態に係る権利管理装置とその周辺装置とによる処理手順の一例を示すラダーチャートである。
【発明を実施するための形態】
【００１４】
＜第１の実施形態＞
以下、図面を参照しながら本発明の第１の実施形態を詳細に説明する。
図１は、本発明の第１の実施形態に係る権利管理装置とその周辺装置との概略機能構成の一例を示すブロック図である。
権利管理装置１は、放送番組視聴装置２から送信される要求に応じてコンテンツを配信するサーバ装置であり、自装置が記憶するコンテンツの権利を管理する。
【００１５】
コンテンツとは、テレビ放送番組や映画などの映像データや、音楽やラジオ放送番組などの音声データのことをいう。以下では、コンテンツが過去にテレビ放送された放送番組であるとして説明するが、ラジオ番組およびテレビ番組の音声などであっても同様に処理することができる。また、権利管理装置１が配信するコンテンツは有料であり、コンテンツの視聴時間（フレーム数）に応じた利用料金が発生する。放送番組視聴装置２の利用者は、権利管理装置１の管理者とコンテンツの配信について契約を交わすことで、有料コンテンツを視聴することができる。
【００１６】
また、権利管理装置１が記憶するコンテンツのデータは、映像を構成する画像と音声とが放送時刻に対応付けられたデータであり、放送時刻に基づいて時系列に記憶されている。これにより、権利管理装置１が記憶するコンテンツは、放送時刻に基づいて、一意に特定される。なお、コンテンツのデータは、適宜、符号化され、圧縮されて記憶されている。
【００１７】
放送番組視聴装置２は、コンテンツを再生する装置である。放送番組視聴装置２は、例えば、テレビ、パーソナルコンピュータ、携帯電話、タブレット、スマートフォン、またはＰＤＡ（Ｐｅｒｓｏｎａｌ  Ｄｉｇｉｔａｌ  Ａｓｓｉｓｔａｎｔ）などである。
【００１８】
権利管理装置１と放送番組視聴装置２とは、ネットワークを介して通信を行う。放送番組視聴装置２は、利用者からコンテンツの再生についての操作を受け付け、当該操作の内容に応じた放送時刻の情報を権利管理装置１に送信する。権利管理装置１は、放送番組視聴装置２から受信した放送時刻の情報に基づいて送信を開始するコンテンツを特定する。権利管理装置１は、特定したコンテンツを示すコンテンツデータを放送番組視聴装置２に送信する。放送番組視聴装置２は、権利管理装置１から送信されたコンテンツを再生することにより、利用者から受け付けた操作をコンテンツの再生に反映させる。
【００１９】
次に、放送番組視聴装置２の構成について説明する。
放送番組視聴装置２は、操作入力部２１０と、コンテンツ再生部２２０と、通信部２３０と、記憶部２４０と、操作情報送信制御部２５１と、コンテンツ受信制御部２５２と、を備える。放送番組視聴装置２は、自装置の内部にＣＰＵ（Ｃｅｎｔｒａｌ  Ｐｒｏｃｅｓｓｉｎｇ  Ｕｎｉｔ）を備える。
【００２０】
操作入力部２１０は、利用者からコンテンツ再生についての操作の入力を受け付ける。操作入力部２１０は、例えば、テレビのリモコン、マウス、キーボード、タッチパネルなどの入力装置を備える。操作入力部２１０が受け付ける操作の内容は、例えば、必要に応じて、コンテンツ再生部２２０が備える表示装置にＧＵＩ（Ｇｒａｐｈｉｃａｌ  Ｕｓｅｒ  Ｉｎｔｅｒｆａｃｅ）により表示される。
【００２１】
図２は、放送番組視聴装置２によるコンテンツの再生を操作するためのインタフェース２０の一例を示す図である。インタフェース２０は、例えば、放送番組視聴装置２が備える表示装置により表示される。例えば、その上部に再生中のコンテンツの放送時刻を示す。図２の例において、放送時刻は、「２０１３年３月２０日（水）    ９：２６：５０．  １０」であり、再生中のコンテンツが、「２０１３年３月２０日（水）    ９：２６：５０」の日時に放送された放送番組であることを示している。また、日時の後には、コンテンツのフレーム番号が示されており、図２の例における「．  １０」は、同日の９時２６分５０秒台における第１０フレームであることを示している。このように、放送時刻は、年月日、時刻、およびフレーム番号から構成される。
【００２２】
また、インタフェース２０は、コンテンツを再生させるための再生ボタン２０１と、コンテンツの再生を停止させるための停止ボタン２０２と、コンテンツの再生を過去方向にシフトさせるための操作ボタン群２３と、コンテンツの再生を未来方向にシフトさせるための操作ボタン群２４と、を備える。
【００２３】
図２の例において、操作ボタン群２３は、「＜年」、「＜月」、「＜週」、「＜日」、「＜６時間」、「＜１時間」、「＜１０分」、「＜１分」、および「＜３０秒」のボタンを含む。これらのボタンが示す時間は、現在再生しているコンテンツの放送時刻からの移動時間に対応する。すなわち、これらのボタンは、それぞれ、１年間、１ヶ月、１週間、１日間、６時間、１時間、１０分、１分間、および３０秒間の過去方向への移動を示す。これらのボタンが操作されると、放送番組視聴装置２は、現在再生しているコンテンツの放送時刻を、ボタンが示す移動時間分、過去方向に移動させたコンテンツを配信するように権利管理装置１に要求する。
【００２４】
図２の例において、操作ボタン群２４は、「年＞」、「月＞」、「週＞」、「日＞」、「６時間＞」、「１時間＞」、「１０分＞」、「１分＞」、および「３０秒＞」のボタンを含む。上述した操作ボタン群２３と同様に、これらのボタンが示す時間は、現在再生しているコンテンツの放送時刻からの移動時間に対応する。これらのボタンが操作されると、現在再生しているコンテンツの放送時刻を、ボタンが示す移動時間分、未来方向に移動させたコンテンツを配信するように権利管理装置１に要求する。
【００２５】
以下では、操作ボタン群２３または操作ボタン群２４に含まれるボタンによる放送時刻の操作をタイムシフトと称する。図２の例を用いて、タイムシフトを実行するためのボタンが操作された場合のコンテンツの再生について説明する。例えば、放送番組視聴装置２が「２０１３年３月２０日９時２６分５０秒１０フレーム」を再生しているときに、「＜１時間」のボタンが操作されると、放送番組視聴装置２は、放送時刻を１時間過去方向に移動させた「２０１３年３月２０日８時２６分５０秒１０フレーム」の再生要求を権利管理装置１に送信する。同様に、放送番組視聴装置２が「２０１３年３月２０日９時２６分５０秒１０フレーム」を再生しているときに、「週＞」のボタンが操作されると、放送番組視聴装置２は、放送時刻を１週間未来方向に移動させた「２０１３年３月２７日８時２６分５０秒１０フレーム」の再生要求を権利管理装置１に送信する。このように、放送番組視聴装置２は、番組単位とは関係なく、放送時刻によるコンテンツの再生指示を自由に受け付ける。
【００２６】
図１に戻り、説明を続ける。
コンテンツ再生部２２０は、コンテンツデータを再生する。コンテンツ再生部２２０は、例えば、映像を再生するための液晶ディスプレイや有機ＥＬ（Ｅｌｅｃｔｒｏ−Ｌｕｍｉｎｅｓｃｅｎｃｅ）ディスプレイなどの表示装置と音声を再生するためのスピーカーなどの音響装置とを備える。
通信部２３０は、通信用インタフェースを備え、権利管理装置１と通信を行う。
【００２７】
記憶部２４０は、例えば、ＨＤＤ（Ｈａｒｄ  Ｄｉｓｃ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）などを備え、ファームウェアやアプリケーションプログラムなど、放送番組視聴装置２が備えるＣＰＵが実行するための各種プログラムやＣＰＵが実行した処理の結果などを記憶する。操作情報送信制御部２５１およびコンテンツ受信制御部２５２は、例えば、放送番組視聴装置２の備えるＣＰＵが記憶部２４０に記憶されているプログラムを実行することによって機能する。
【００２８】
また、記憶部２４０は、視聴者識別情報を記憶する視聴者識別情報記憶部２４１を備える。視聴者識別情報は、放送番組視聴装置２の利用者を識別する情報である。視聴者識別情報は、例えば、ＭＡＣアドレス（Ｍｅｄｉａ  Ａｃｃｅｓｓ  Ｃｏｎｔｒｏｌ  ａｄｄｒｅｓｓ）、ＩＰ（Ｉｎｔｅｒｎｅｔ  Ｐｒｏｔｏｃｏｌ）アドレス、または権利管理装置１の管理者とのコンテンツ配信に係る契約により付与されたユーザＩＤやライセンスキーなどである。
【００２９】
操作情報送信制御部２５１は、操作入力部２１０が受け付けた操作に応じた操作情報と、視聴者識別情報記憶部２４１が記憶する視聴者識別情報とを、通信部２３０を介して、権利管理装置１に送信する。操作入力部２１０が受け付けた操作がコンテンツの再生の指示の場合、操作情報送信制御部２５１は、前回コンテンツの再生を停止した時点において、再生していたコンテンツの放送時刻の情報を操作情報とする再生要求を権利管理装置１に送信する。操作入力部２１０が受け付けた操作がコンテンツの再生停止の指示の場合、操作情報送信制御部２５１は、停止を示す情報を操作情報とする停止要求を権利管理装置１に送信する。操作入力部２１０が受け付けた操作がタイムシフトの指示であった場合、操作情報送信制御部２５１は、タイムシフト後の放送時刻の情報を操作情報とするタイムシフト要求を権利管理装置１に送信する。
コンテンツ受信制御部２５２は、通信部２３０を介して、権利管理装置１から受信したコンテンツデータをコンテンツ再生部２２０に再生させる。
【００３０】
次に、権利管理装置１の構成について説明する。
権利管理装置１は、記憶部１１０と、第１通信部１２１と、第２通信部１２２と、タグ入力部１３０と、操作情報受信制御部１４１と、時間情報取得部１４２と、コンテンツ配信部１４３と、タグ登録部１４４と、算出部１４５と、決済部１５０と、を備える。また、権利管理装置１は、自装置の内部にＣＰＵを備える。
【００３１】
記憶部１１０は、例えば、ＨＤＤ、フラッシュメモリ、ＥＥＰＲＯＭ、ＲＯＭ、またはＲＡＭなどを備え、ファームウェアやアプリケーションプログラムなど、権利管理装置１が備えるＣＰＵが実行するための各種プログラムやＣＰＵが実行した処理の結果などを記憶する。操作情報受信制御部１４１、時間情報取得部１４２、コンテンツ配信部１４３、タグ登録部１４４、算出部１４５、および決済部１５０は、例えば、権利管理装置１の備えるＣＰＵが記憶部１１０に記憶されているプログラムを実行することによって機能する。
【００３２】
また、記憶部１１０は、タグデータベース記憶部１１１と、単価情報記憶部１１２と、視聴者情報記憶部１１３と、放送時間記憶部１１４と、コンテンツ記憶部１１５と、を備える。
タグデータベース記憶部１１１は、コンテンツに関する権利者を識別する権利者識別情報とコンテンツの放送時間の情報とを対応付けたタグ情報をデータベースとして記憶する。以下では、当該タグ情報のデータベースをタグデータベースと称し、タグデータベースは、タグ情報の登録や消去、修正、抽出などの機能を備えるものとする。ここで、放送時間とは、開始時刻と終了時刻との２つの放送時刻によって定められる時間のことをいう。
【００３３】
図３は、コンテンツとタグとの関係の一例を示すタイミングチャートである。
図３は、放送日が２０１３年３月２０日である放送番組Ａ、Ｂ、およびＣの３つのコンテンツの放送時間を示している。図３において、横軸は、放送時刻ｔを示す。放送番組Ａの放送時間は、「９時００分００秒００フレーム」から「９時２０分００秒００フレーム」である。また、放送番組Ｂの放送時間は、「９時２０分００秒００フレーム」から「９時３０分００秒００フレーム」である。また、放送番組Ｃの放送時間は、「９時３０分００秒００フレーム」から「１０時００分００秒００フレーム」である。
【００３４】
図３の下部には、コンテンツの放送時間とタグとの対応付けの例が示されている。タグ１は、「９時００分００秒００フレーム」から「９時２０分００秒００フレーム」に対応付けられており、放送番組Ａの放送時間全体に対応付けられている。また、タグ２は、「９時２３分００秒００フレーム」から「９時２６分００秒００フレーム」に対応付けられており、放送番組Ｂの放送時間の一部に対応付けられている。また、タグ３は、「９時３７分００秒００フレーム」から「９時４０分００秒００フレーム」に対応付けられている。また、タグ４は「９時３９分００秒００フレーム」から「９時４２分００秒００フレーム」に対応付けられている。タグ３とタグ４とは、それぞれ、放送番組Ｃの一部に対応付けられている。また、放送番組Ｃの放送時間のうちの「９時３９分００秒００フレーム」から「９時４０分００秒００フレーム」には、２つのタグ３とタグ４とが対応付けられている。
【００３５】
図４は、タグ情報の一例を示す図である。
タグは、例えば、「チャンネル」、「開始日時」、「終了日時」、「権利者識別情報」、「支払先」などの情報を含む。「チャンネル」は、タグが対応付けられているコンテンツのチャンネルを示す。権利管理装置１が記憶するコンテンツは１つのチャンネルとするため、本実施形態においては、「チャンネル」の情報は必須ではない。「開始日時」と「終了日時」とは、それぞれ、タグが対応付けられている放送時間の開始時刻と終了時刻とを示す。例えば、図３におけるタグ２の場合、「開始日時」は、「２０１３年３月２０日９：２３：００．  ００」である。また、「終了日時」は、「２０１３年３月２０日９：２６：００．  ００」である。権利者識別情報は、タグが対応付けられている放送時間におけるコンテンツの権利者を識別する情報である。支払先は、権利料の支払い先を示す情報であり、例えば、権利者が権利料の振込先として指定する銀行口座の情報である。
【００３６】
図１の説明に戻る。
単価情報記憶部１１２は、コンテンツの権利料の単価を記憶する。コンテンツの権利料の単価は、例えば、フレーム毎に設定され、単価情報記憶部１１２は、放送時刻と権利料の単価とを対応付けて記憶する。すなわち、本実施形態において、フレームは、単価を設定する単位時間である。以下では、１フレーム当り０．００１円の権利料が、すべての放送時刻において一律に設定されているものとして説明するが、１フレーム当りの権利料は、放送時刻に応じて変わってもよい。
【００３７】
視聴者情報記憶部１１３は、権利管理装置１の管理者とコンテンツの配信について契約を結んだ放送番組視聴装置２の利用者の情報を記憶する。視聴者情報記憶部１１３は、例えば、視聴者識別情報と、契約方式の情報と、請求先情報と、コンテンツの視聴が可能か否かを示す情報と、コンテンツの視聴時間の情報と、を対応付けて記憶する。契約方式の情報は、コンテンツの配信についての利用者の契約方式を示す。契約方式には、例えば、視聴量に応じた従量課金制や所定の期間の利用料を視聴量に関わらず固定金額とする定額課金制などがあり、本実施形態は特定の契約方式に限らず適用できる。
【００３８】
請求先情報は、利用料の請求手続きのための情報などを含む。また、利用料の支払い方法は、特定の支払い方法に依存しない。例えば、銀行口座からの自動引き落としや、クレジットカード決済、プリペイドカードによる決済、料金後払いなどを適用してよい。請求先情報は、これら支払方法に応じて、例えば、コンテンツの利用者の銀行口座の情報や、クレジットカード番号、プリペイドカードの利用残高情報などを含む。コンテンツの視聴時間の情報は、配信したコンテンツの時間の総和を示す。コンテンツの視聴時間の情報は、例えば、従量課金制における利用料の算出に利用される。
【００３９】
放送時間記憶部１１４は、放送番組視聴装置２に配信され、再生されたコンテンツの放送時間のリストを配信時間情報として記憶する。配信時間情報の放送時間各々は、開始時刻から終了時刻までの連続した時間である。
コンテンツ記憶部１１５は、コンテンツを示すコンテンツデータを記憶する。コンテンツは、放送時刻により一意に特定することができる。
【００４０】
第１通信部１２１は、通信用インタフェースを備え、放送番組視聴装置２と通信を行う。
第２通信部１２２は、通信用インタフェースを備え、コンテンツの利用料金と権利料金との決済を行う決済処理装置と通信を行う。第１通信部１２１と第２通信部１２２とは、同一のネットワークに接続されていてもよい。
【００４１】
タグ入力部１３０は、タグの入力を受け付ける。タグ入力部１３０は、例えば、マウス、キーボード、タッチパネルなどの入力装置を備える。また、タグ入力部１３０は、通信用インタフェースを備え、ネットワークを介して外部機器から送信されたタグ情報を受信してもよい。タグ入力部１３０は、受け付けたタグの情報をタグ登録部１４４に出力する。
【００４２】
操作情報受信制御部１４１は、放送番組視聴装置２から送信された操作情報と視聴者識別情報とを、第１通信部１２１を介して取得する。操作情報受信制御部１４１は、取得した操作情報と視聴者識別情報とを時間情報取得部１４２に出力する。
【００４３】
時間情報取得部１４２は、操作情報受信制御部１４１から取得する操作情報から、配信されたコンテンツの放送時間の情報を検出し、取得する。ここで、「配信されたコンテンツの放送時間」は、再生されたコンテンツの放送時間、あるいは、視聴されたコンテンツの放送時間、と読み替えてもよいとする。
【００４４】
具体的には、操作情報受信制御部１４１から取得した操作情報がコンテンツの再生要求の場合、時間情報取得部１４２は、視聴者情報記憶部１１３を参照し、取得した視聴者識別情報に対して、コンテンツの視聴が許可されているか否かを判定する。コンテンツの視聴が許可されている場合、放送時刻の情報をコンテンツ配信部１４３に出力する。そして、時間情報取得部１４２は、操作情報に含まれる放送時刻の情報を開始時刻情報として保持する。
【００４５】
操作情報受信制御部１４１から取得した操作情報がコンテンツの再生停止要求の場合、時間情報取得部１４２は、コンテンツ配信部１４３にコンテンツ配信の停止命令を出力する。また、時間情報取得部１４２は、操作情報に含まれる放送時刻の情報を終了時刻情報とし、保持していた開始時刻情報と対応付けて、放送時間記憶部１１４に記憶させる。時間情報取得部１４２は、放送時間記憶部１１４を参照して配信時間情報を取得する。時間情報取得部１４２は、取得した配信時間情報が示す放送時間の合計を算出する。時間情報取得部１４２は、算出した放送時間の合計を、コンテンツの視聴時間の情報として視聴者識別情報と対応付け、視聴者情報記憶部１１３に記憶させる。また、時間情報取得部１４２は、取得した配信時間情報を算出部１４５に出力する。時間情報取得部１４２は、コンテンツの視聴時間の情報を記憶させる処理と、算出部１４５に配信時間情報を出力する処理とを完了すると、放送時間記憶部１１４の記憶する配信時間情報を消去し、初期化する。
【００４６】
操作情報受信制御部１４１から取得した操作情報がタイムシフト要求の場合、時間情報取得部１４２は、操作情報に含まれる放送時刻の情報をコンテンツ配信部１４３に出力する。また、時間情報取得部１４２は、タイムシフト要求を取得した時点において、それまで配信していたコンテンツの放送時刻の情報を終了時刻情報とし、保持していた開始時刻情報と対応付けて、放送時間記憶部１１４に記憶させる。そして、時間情報取得部１４２は、操作情報に含まれる放送時刻の情報を開始時刻情報として保持する。
【００４７】
コンテンツ配信部１４３は、第１通信部１２１を介して、放送番組視聴装置２へのコンテンツの配信を制御する。
時間情報取得部１４２から放送時刻の情報を取得した場合、コンテンツ配信部１４３は、取得した放送時刻の情報に基づいて、コンテンツ記憶部１１５からコンテンツデータを読み出す。そして、コンテンツ配信部１４３は、読み出したコンテンツデータを放送番組視聴装置２に送信することにより、コンテンツを配信する。コンテンツ配信部１４３は、時間情報取得部１４２からコンテンツの放送時刻やコンテンツ配信の停止命令を取得するまで、放送時刻を１フレームずつ進めながら、時系列にコンテンツデータを配信し続ける。時間情報取得部１４２からコンテンツ配信の停止命令を取得した場合、コンテンツ配信部１４３は、コンテンツデータの送信を停止する。
【００４８】
タグ登録部１４４は、タグ入力部１３０が受け付けたタグ情報をタグデータベースに記憶させる。
算出部１４５は、時間情報取得部１４２によって取得された放送時刻に対応付けられている権利者識別情報を記憶部１１０から読み出し、読み出した権利者識別情報によって示される権利者が受け取る権利料を算出する。
【００４９】
算出部１４５は、時間情報取得部１４２から配信時間情報を取得すると、取得した配信時間情報に基づいて、タグデータベースからタグ情報を抽出する。具体的には、算出部１４５は、配信時間情報が示す放送時間から放送時刻を１フレームずつ取得する。算出部１４５は、タグデータベースに対して、取得した放送時刻をクエリーとしてタグ情報の抽出を行わせる。タグデータベースは、タグ情報の「開始時刻」から「終了時刻」までの時間に、クエリーの放送時刻が属するすべてのタグ情報を抽出し、算出部１４５に出力する。すなわち、この一例において、算出部は、コンテンツが配信された放送時間に対応付けられているすべての権利者識別情を記憶部１１０から読み出す。
【００５０】
例えば、図３に示すようにタグがタグデータベースに登録されている場合、「２０１３年３月２０日９時１０分１０秒１０フレーム」というクエリーに対して、タグ１が抽出される。タグ１は、開始時刻が「２０１３年３月２０日９時１０分１０秒１０フレーム」であるため、開始時刻がクエリーの放送時刻の前である。また、タグ１は、終了時刻が「２０１３年３月２０日９時１０分１０秒１０フレーム」であるため、終了時刻がクエリーの放送時刻の後である。従って、タグ１の開始時刻から終了時刻までの時間にクエリーの放送時刻が属しており、当該クエリーの放送時刻に対して、タグ１が抽出される。同様に、「２０１３年３月２０日９時３９分１０秒２０フレーム」というクエリーに対しては、タグ３とタグ４とが抽出される。
【００５１】
算出部１４５は、単価情報記憶部１１２からクエリーの放送時刻における単価を取得する。算出部１４５は、取得したフレーム毎の単価から、当該フレームに対応付けられているタグの権利者識別情報が識別する権利者各々が受け取るべき権利料を算出する。算出部１４５は、例えば、フレーム毎の単価を、各フレームにおける権利者の数で等分した権利料を、各フレームにおける権利者各々の権利料として算出する。算出部１４５は、例えば、配信時間情報が示す時間において、フレーム毎の権利者各々の権利料を、権利者毎に合計することにより、権利者各々が受け取るべき権利料を算出する。算出部１４５は、権利者各々について、算出した権利料の情報、権利者識別情報、および支払先の情報を決済部１５０に出力する。
【００５２】
各フレームにおける権利者に対して、権利料を按分して算出する場合を具体的に説明する。例えば、１フレーム当りの権利料の単価を０．００１円とした場合、ある１フレームにおいて１つの権利者識別情報が対応付けられている場合には、その権利者識別情報が識別する権利者には０．００１円が支払われる。また、別のある１フレームにおいて、５つの権利者識別情報が対応付けられている場合には、単価の０．００１円を５で除算した０．０００２円が、５つの権利者識別情報が識別する５人の権利者にそれぞれ支払われる。
【００５３】
決済部１５０は、権利料と利用料金との決済を処理する。決済部１５０は、支払部１５１と、課金部１５２と、を備える。
支払部１５１は、算出部１４５から取得する権利料の情報、権利者識別情報、および支払先の情報に基づいて、権利料の支払い処理を行う。支払部１５１は、第２通信部１２２を介して、外部の決済処理装置に接続し、支払先の情報が示す支払先に、権利料の情報が示す権利料を支払うように要求する。
【００５４】
課金部１５２は、視聴者情報記憶部１１３から、時間情報取得部１４２から取得した視聴者識別情報に対応付けられている請求先情報を取得し、取得した請求先情報が示す請求先にコンテンツの利用料の請求処理を行う。例えば、コンテンツの利用者の契約方式が従量課金制の場合、課金部１５２は、視聴者情報記憶部１１３が記憶する同一の視聴者識別情報に対応付けられているコンテンツの視聴時間の情報と請求先の情報とを取得し、コンテンツの視聴時間の情報に応じた利用料の請求処理を行う。課金部１５２は、例えば、第２通信部１２２を介して、外部の決済処理装置に接続し、請求先情報が示す請求先に利用料の徴収を要求する。また、課金のタイミングは、コンテンツの利用者との契約に基づいて、視聴毎に行ってもよいし、１ヶ月などの単位で行ってもよい。
【００５５】
図５は、権利管理装置１による処理手順の一例を示すフローチャートである。
まず、権利管理装置１は、放送番組視聴装置２から視聴者識別情報および操作情報を取得する（ステップＳ１０１）。次に、権利管理装置１は、取得した操作情報に基づいて、コンテンツが配信された放送時間の情報を検出し、配信時間情報を取得する（ステップＳ１０２）。次に、権利管理装置１は、取得した配信時間情報が示す放送時間において、権利者が受け取る権利料を算出する（ステップＳ１０３）。そして、権利管理装置１は、算出した権利料に基づいて、権利者に権利料を分配する決済処理を実行する（ステップＳ１０４）。
【００５６】
図６は、権利管理装置１による権利料算出のための処理手順の一例を示すフローチャートである。
まず、権利管理装置１は、例えば、配信時間情報が示す放送時間のうち、最も時刻が古い時刻をクエリーとして選択することにより、クエリーとする放送時刻を初期化する（ステップＳ２０１）。次に、権利管理装置１は、配信時間情報が示す全放送時間について、権利者が受け取る権利料を算出したか否かを判定する（ステップＳ２０２）。
【００５７】
配信時間情報が示す全放送時間について、権利者が受け取る権利料を算出していない場合（ステップＳ２０２；ＮＯ）、権利管理装置１は、タグデータベースから放送時刻のクエリーにより、当該放送時刻に対応付けられているすべてのタグ情報を抽出する（ステップＳ２０３）。上述のように、このタグ情報は、権利者識別情報を含む。次に、権利管理装置１は、クエリーの放送時刻における権利料の単価を取得する（ステップＳ２０４）。次に、権利管理装置１は、例えば、ステップＳ２０４で取得した単価を、ステップＳ２０３において取得した権利者識別情報が識別する権利者の数で除算することにより、クエリーの放送時刻において権利者各々が受け取る権利料を算出する（ステップＳ２０５）。次に、権利管理装置１は、クエリーとする放送時刻を更新する。権利管理装置１は、例えば、配信時間情報が示す放送時間のうち、現在クエリーとしている放送時刻の次に古い放送時刻をクエリーとして選択することにより、クエリーとする放送時刻を更新する。
【００５８】
また、配信時間情報が示す全放送時間について、権利者が受け取る権利料を算出した場合（ステップＳ２０２；ＹＥＳ）、それまでに、ステップＳ２０２からステップＳ２０６の処理により算出した、放送時刻毎の権利者の権利料を、権利者毎に合計することにより、配信時間情報が示す全放送時間における権利者毎の権利料を算出する（ステップＳ２０７）。
【００５９】
［第１の実施形態の効果］
以上のように、本実施形態に係る権利管理装置１によれば、記憶部１１０は、コンテンツに関する権利者を識別する権利者識別情報とコンテンツの放送時間の情報とを対応付けて記憶する。時間情報取得部１４２は、コンテンツが配信された放送時間の情報を取得する。算出部１４５は、時間情報取得部１４２によって取得された放送時間に対応付けられている権利者識別情報を記憶部１１０から読み出し、読み出した権利者識別情報によって示される権利者が受け取る権利料を算出する。
【００６０】
これにより、権利管理装置１は、コンテンツのうち、放送番組視聴装置２に配信され、配信された部分に関係する権利者が受け取る権利料を算出する。従って、コンテンツの利用状況を権利料の算出に反映し、コンテンツの視聴時間に応じた権利料を権利者に分配することができるため、コンテンツの権利を正確に管理することができる。また、権利を放送番組単位ではなく、放送時刻単位（シーン単位）で権利の登録が可能となり、数秒のシーンにだけ使われた音楽や、当該シーンにおける出演者などの細かい権利情報を登録し、それに応じて権利料の分配を行うことが可能となる。
【００６１】
また、算出部１４５は、コンテンツが配信された放送時間に対応付けられているすべての権利者識別情報を記憶部１１０から読み出し、読み出した権利者識別情報の各々に対応付けられている権利者が受け取るべき権利料を算出する。
これにより、権利管理装置１は、コンテンツのうち、配信された部分に複数の権利者が関係している場合であっても、当該複数の権利者すべてに対して、配当する権利料を算出うする。従って、コンテンツの権利をさらに正確に管理することができる。
【００６２】
また、算出部１４５は、配信されたコンテンツのフレーム毎の単価を記憶部１１０から読み出し、フレーム毎の単価を、当該フレームが属するタグ情報に対応付けられたすべての権利者に按分することによって、権利料を算出する。
これにより、権利管理装置１は、コンテンツの各フレームを基準として、関係する権利者に対して権利料を按分する。従って、複数の権利者が関係している場合であっても、公平に権利料を配当することができるため、権利料のコンテンツの権利をさらに正確に管理することができる。
【００６３】
また、算出部１４５は、配信されたコンテンツのフレーム毎の単価を記憶装置から読み出し、読み出したフレーム毎の単価を、当該フレームが属するタグ情報に対応付けられた権利者の数で除算することによって、権利料を算出する。
これにより、権利管理装置１は、コンテンツの各フレームに関係する権利者が受け取る権利料を簡便に算出し、全員に権利料を分配することができる。
【００６４】
＜第２の実施形態＞
以下、図面を参照しながら本発明の第２の実施形態を詳細に説明する。
図７は、第２の実施形態に係る権利管理装置とその周辺装置との概略機能構成の一例を示すブロック図である。
【００６５】
本実施形態に係る権利管理装置１１、１２…は、第１の実施形態に係る権利管理装置１と同様の構成を備える。また、権利管理装置１１、１２…は、それぞれ、異なるチャンネルのコンテンツデータを記憶する。具体的には、例えば、権利管理装置１１は、放送局Ａが過去に放送した放送番組を記憶する。また、権利管理装置１２は、放送局Ｂが過去に放送した放送番組を記憶する。権利管理装置１１、１２…は、それぞれ異なる管理者に管理されている。
【００６６】
放送番組提供装置３は、複数の権利管理装置１１、１２…と放送番組視聴装置２との通信を中継する機能を備える。第１の実施形態において、権利管理装置１と放送番組視聴装置２との間で行われた通信は、本実施形態において、放送番組提供装置３を介して行われる。放送番組提供装置３の管理者は、例えば、コンテンツプロバイダーである。
【００６７】
放送番組視聴装置２１は、第１の実施形態に係る放送番組視聴装置２が備える機能を備える。また、放送番組視聴装置２１は、利用者からチャンネル切替の操作を受け付ける機能を備える。放送番組視聴装置２１は、チャンネルの切替操作を受け付けると、切替後のチャンネルの情報を放送番組提供装置３に送信する。
【００６８】
ここで、放送番組視聴装置２の利用者は、放送番組提供装置３の管理者とのみ契約を行い、どのチャンネルを視聴したとしても、利用料は、放送番組提供装置３の管理者にのみ一括して支払い、放送番組提供装置３の管理者が、権利管理装置１１、１２…の管理者に利用料を支払う形式であっても構わない。この場合は、利用料の請求のための情報および機能は、放送番組提供装置３が有してよい。
【００６９】
権利管理装置１１、１２…は、それぞれ、放送番組提供装置３とネットワークを介して通信を行う。また、放送番組提供装置３は、放送番組視聴装置２１とネットワークを介して通信を行う。各装置間を接続するネットワークは、同一のネットワークであってもよい。以下では、第１の実施形態と同様の機能については、説明を省略する。
【００７０】
次に、放送番組提供装置３について説明する。
放送番組提供装置３は、記憶部３１０と、通信部３２０と、配信要求先選択部３３１と、コンテンツ配信中継処理部３３２と、を備える。放送番組提供装置３は、自装置の内部にＣＰＵを備える。
【００７１】
記憶部３１０は、例えば、ＨＤＤ、フラッシュメモリ、ＥＥＰＲＯＭ、ＲＯＭ、またはＲＡＭなどを備え、ファームウェアやアプリケーションプログラムなど、放送番組提供装置３が備えるＣＰＵが実行するための各種プログラムやＣＰＵが実行した処理の結果などを記憶する。配信要求先選択部３３１およびコンテンツ配信中継処理部３３２は、例えば、放送番組提供装置３の備えるＣＰＵが記憶部３１０に記憶されているプログラムを実行することによって機能する。
【００７２】
また、記憶部３１０は、チャンネル情報記憶部３１１を備える。チャンネル情報記憶部３１１が記憶する情報は、どのチャンネルのコンテンツがどの権利管理装置１１、１２…に記憶されているかを示す。チャンネル情報記憶部３１１は、チャンネルの情報と権利管理装置１１、１２…各々を識別する管理装置識別情報とを対応付けて記憶する。
通信部３２０は、通信用インタフェースを備え、複数の権利管理装置１１、１２…、および放送番組視聴装置２１と、それぞれ通信を行う。
【００７３】
配信要求先選択部３３１は、放送番組視聴装置２１から送信される操作情報に基づいて、複数の権利管理装置１１、１２…のうち、コンテンツの配信を行わせる装置を選択する。配信要求先選択部３３１は、通信部３２０を介して、操作情報と視聴者識別情報とを取得する。配信要求先選択部３３１は、チャンネル情報記憶部３１１を参照し、取得した操作情報に含まれるチャンネルの情報と対応付けられている管理装置識別情報を取得する。配信要求先選択部３３１は、取得した管理装置識別情報が示す権利管理装置１１、１２…のいずれかに、通信部３２０を介して、放送番組視聴装置２１から取得した操作情報と権利者識別情報とを送信する。
【００７４】
コンテンツ配信中継処理部３３２は、権利管理装置１１、１２…から送信されるコンテンツデータを、通信部３２０を介して取得する。コンテンツ配信中継処理部３３２は、取得したコンテンツデータを、通信部３２０を介して、コンテンツの配信要求元の放送番組視聴装置２１に送信する。
【００７５】
［第２の実施形態の効果］
以上のように、放送番組提供装置３がコンテンツの配信を中継することにより、複数の権利管理装置１１、１２…にコンテンツが分散して記憶されている場合であっても、放送番組視聴装置２１は、利用者の所望のコンテンツを再生することができる。また、再生されるコンテンツの権利は、権利管理装置１１、１２…各々によって管理されるため、権利管理装置１１、１２…が異なる事業者によって管理される場合であっても、コンテンツの権利を他の事業者に知られることなく、正確に管理することができる。
【００７６】
＜第３の実施形態＞
以下、図面を参照しながら本発明の第３の実施形態を詳細に説明する。
図８は、権利管理装置５とその周辺装置との接続の態様の一例を示すブロック図である。
本実施形態では、第１の実施形態に係る権利管理装置１の機能が、権利管理装置５と放送番組管理装置４とに分離されている。放送番組管理装置４は、放送番組視聴装置２１から送信される要求に応じてコンテンツを配信するサーバ装置である。本実施形態に係る権利管理装置５は、放送番組管理装置４が配信するコンテンツの権利の管理するサーバ装置である。
放送番組視聴装置２１および放送番組提供装置３は、それぞれ第２の実施形態に係る放送番組視聴装置２１および放送番組提供装置３と同様の機能と構成を備える。
【００７７】
図８において、放送番組管理装置４１、４２…は、複数の放送番組管理装置４である。権利管理装置５と放送番組管理装置４１、４２…とは、それぞれ、ネットワークを介して通信を行う。放送番組管理装置４１、４２…と放送番組提供装置３とは、それぞれ、ネットワークを介して通信を行う。放送番組提供装置３と放送番組視聴装置２１とは、ネットワークを介して通信を行う。各装置間を接続するネットワークは、同一のネットワークであってもよい。以下では、第１の実施形態と同様の機能については、説明を省略する。
【００７８】
次に、放送番組管理装置４の構成について説明する。
図９は、放送番組管理装置４の概略機能構成の一例を示すブロック図である。
放送番組管理装置４は、記憶部４１０と、第１通信部４２１と、第２通信部４２２と、操作情報受信制御部４３１と、検出部４３２と、コンテンツ配信部４３３と、課金部４３４と、視聴時間送信制御部４３５と、を備える。また、放送番組管理装置４は、装置の内部にＣＰＵを備える。
【００７９】
記憶部４１０は、例えば、ＨＤＤ、フラッシュメモリ、ＥＥＰＲＯＭ、ＲＯＭ、またはＲＡＭなどを備え、ファームウェアやアプリケーションプログラムなど、放送番組管理装置４が備えるＣＰＵが実行するための各種プログラムやＣＰＵが実行した処理の結果などを記憶する。操作情報受信制御部４３１、検出部４３２、コンテンツ配信部４３３、課金部４３４、および視聴時間送信制御部４３５は、例えば、放送番組管理装置４の備えるＣＰＵが記憶部４１０に記憶されているプログラムを実行することによって機能する。
【００８０】
また、記憶部４１０は、視聴者情報記憶部４１１と、放送時間記憶部４１２と、コンテンツ記憶部４１３と、を備える。視聴者情報記憶部４１１、放送時間記憶部４１２、およびコンテンツ記憶部４１３は、それぞれ、第１の実施形態に係る権利管理装置１の視聴者情報記憶部１１３、放送時間記憶部１１４、コンテンツ記憶部１１５と同様の情報を記憶する。
【００８１】
第１通信部４２１は、通信用インタフェースを備え、放送番組視聴装置２と通信を行う。
第２通信部４２２は、通信用インタフェースを備え、権利管理装置５と通信を行う。
操作情報受信制御部４３１、検出部４３２、コンテンツ配信部４３３、および課金部４３４は、それぞれ、第１の実施形態に係る操作情報受信制御部１４１、時間情報取得部１４２、コンテンツ配信部１４３、課金部１５２と同様の処理を行う。ただし、時間情報取得部１４２が、配信時間情報を算出部１４５に出力したのに対し、検出部４３２は、配信時間情報を視聴時間送信制御部４３５に出力する。
【００８２】
視聴時間送信制御部４３５は、検出部４３２から配信時間情報を取得し、取得した配信時間情報と自装置のコンテンツのチャンネルの情報を、第２通信部４２２を介して、権利管理装置５に送信する。なお、自装置のコンテンツのチャンネルの情報は、記憶部４１０に記憶されていてよい。
【００８３】
次に、権利管理装置５の構成について説明する。
図１０は、権利管理装置５の概略機能構成の一例を示すブロック図である。
権利管理装置５は、記憶部５１０と、通信部５２０と、タグ入力部５３０と、時間情報取得部５４１と、タグ登録部５４２と、算出部５４３と、支払部５４４と、を備える。また、権利管理装置５は、自装置の内部にＣＰＵを備える。
【００８４】
記憶部５１０は、例えば、ＨＤＤ、フラッシュメモリ、ＥＥＰＲＯＭ、ＲＯＭ、またはＲＡＭなどを備え、ファームウェアやアプリケーションプログラムなど、権利管理装置５が備えるＣＰＵが実行するための各種プログラムやＣＰＵが実行した処理の結果などを記憶する。時間情報取得部５４１、タグ登録部５４２、および算出部５４３は、例えば、権利管理装置５の備えるＣＰＵが記憶部５１０に記憶されているプログラムを実行することによって機能する。
【００８５】
また、記憶部５１０は、タグデータベース記憶部５１１と、単価情報記憶部５１２と、を備える。タグデータベース記憶部５１１と単価情報記憶部５１２とは、それぞれ、第１の実施形態に係る権利管理装置１のタグデータベース記憶部１１１と単価情報記憶部１１２と同様の情報を記憶する。
【００８６】
通信部５２０は、通信用インタフェースを備え、放送番組管理装置４と通信を行う。
タグ入力部５３０、タグ登録部５４２、算出部５４３、および支払部５４４は、それぞれ、第１の実施形態に係る権利管理装置１のタグ入力部１３０、タグ登録部１４４、算出部１４５、および支払部１５１と同様の処理を行う。ただし、算出部５４３は、時間情報取得部５４１から取得する配信時間情報とチャンネルの情報とに基づいて、タグ情報の抽出を行うものとする。算出部５４３は、放送時刻に加え、チャンネルをクエリーとしてタグデータベースからタグ情報を抽出することで、放送番組管理装置４１、４２…それぞれが記憶するコンテンツに対応付けられているタグを抽出することができる。
【００８７】
時間情報取得部５４１は、通信部５２０を介して、放送番組管理装置４から配信時間情報を取得する。すなわち、この一例において、時間情報取得部５４１は、検出部４３２によって検出された放送時間の情報を取得する。時間情報取得部５４１は、取得した情報を算出部５４３に出力する。
【００８８】
次に、権利管理装置５とその周辺装置との動作を説明する。
図１１は、権利管理装置５とその周辺装置とによる処理手順の一例を示すラダーチャートである。
まず、放送番組視聴装置２１は、コンテンツの再生についての操作を受け付ける（ステップＳ３０１）。次に、放送番組視聴装置２１は、受け付けた操作に応じた操作情報と自装置が記憶する視聴者識別情報とを放送番組提供装置３に出力する（ステップＳ３０２）。また、受け付けた操作がチャンネル切替の場合は、チャンネルの情報も併せて送信する。
【００８９】
次に、放送番組提供装置３は、放送番組視聴装置２から受信した情報にチャンネルの情報が含まれる場合は、当該チャンネルの情報が示す放送番組管理装置４を選択する。チャンネルの情報が含まれない場合は、それまでコンテンツの配信を要求していた放送番組管理装置４を選択する（ステップＳ３０３）。次に、放送番組提供装置３は、放送番組視聴装置２から受信した視聴者識別情報と操作情報とを、ステップＳ３０３において選択した放送番組管理装置４に送信する（ステップＳ３０４）。
【００９０】
次に、放送番組管理装置４は、放送番組提供装置３から受信した操作情報に基づいて、コンテンツの配信と放送時間の検出とを行う（ステップＳ３０５）。コンテンツの配信が終了すると、放送番組管理装置４は、自装置が記憶するコンテンツのチャンネルの情報および配信時間情報を、権利管理装置５に送信する（ステップＳ３０６）。次に、権利管理装置５は、放送番組視聴装置２から送信されたチャンネルの情報および配信時間情報を取得する（ステップＳ３０７）。次に、権利管理装置５は、例えば、図６を用いて説明したように、取得した配信時間情報が示す放送時間において、権利者が受け取る権利料を算出する（ステップＳ３０８）。そして、権利管理装置５は、算出した権利料を権利者各々に支払うための処理を行う（ステップＳ３０９）。
【００９１】
以上により、本実施形態に係る権利管理装置５は、複数のチャンネルのコンテンツの権利を一括して管理することができる。また、本実施形態では、コンテンツの権利を管理する権利管理装置５と、コンテンツを配信する放送番組管理装置４とが、異なる装置として分離され、コンテンツが配信された放送時間を検出する検出部４３２が放送番組管理装置４に備えられている。
【００９２】
これにより、放送番組管理装置４の管理者は、コンテンツを再生した放送番組視聴装置２の利用者の情報を公開せず権利の処理を行うことができる。例えば、放送番組管理装置４の管理者は、権利管理装置５の管理者に放送番組視聴装置２の利用者を知られることなく権利の処理を行わせることができるため、コンテンツの利用者のプライバシーを保護することができる。
【００９３】
なお、上述した各実施形態では、タグを権利料の分配のためにのみ利用したが、タグを他の用途に利用してもよい。例えば、タグに視聴の可否を記述し、ある放送時刻において１つでも視聴不可のタグが対応付けられている場合には、その放送時刻を視聴不可とし、コンテンツを配信しない制御が可能である。
【００９４】
また、過去のＣＭ（Ｃｏｍｍｅｒｃｉａｌ  Ｍｅｓｓａｇｅ）などの広告が放送された番組部分が視聴された場合には、該当するＣＭの広告業者から視聴時間に応じた広告料を権利管理装置１の管理者が徴収できるようにすることも可能である。この場合、例えば、ＣＭの放送時間にタグを対応付け、当該タグに広告業者の識別情報および広告料の請求先の情報などを記載してよい。そして、権利料の算出と同様に広告料を算出し、広告料を請求してよい。
【００９５】
また、上述した各実施形態では、権利管理装置１および放送番組管理装置４内のコンテンツ記憶部１１５には、放送番組のデータが記憶されているため、例えば、過去のＣＭ時間帯のＣＭを、その広告業者が最新のＣＭに差し替えることが可能である。これにより、権利管理装置１および放送番組管理装置４から配信されるコンテンツを再生する放送番組視聴装置２、２１の利用者に、最新のＣＭを視聴してもらうことが可能となる。
【００９６】
また、ＨＤＤレコーダなどの録画機器の備えるＣＭ飛ばしの機能により、ＣＭが視聴されないことがある。しかしながら、上述した各実施形態が備えるタイムシフト機能によるザッピング行為はランダム性があるため、ＣＭ放送時間帯をたまたま見るなどの効果も期待できる。
【００９７】
なお、上述した各実施形態において、ネットワークは、例えば、携帯電話網、ＰＨＳ（Ｐｅｒｓｏｎａｌ  Ｈａｎｄｙ−ｐｈｏｎｅ  Ｓｙｓｔｅｍ）網、ＶＰＮ（Ｖｉｒｔｕａｌ  Ｐｒｉｖａｔｅ  Ｎｅｔｗｏｒｋ）網、専用通信回線網、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、ＰＳＴＮ（Ｐｕｂｌｉｃ  Ｓｗｉｔｃｈｅｄ  Ｔｅｌｅｐｈｏｎｅ  Ｎｅｔｗｏｒｋ；公衆交換電話網）などによって構成される情報通信ネットワークであり、また、これらの組み合わせであってもよい。
【００９８】
なお、権利管理装置１および放送番組管理装置４は、上述した例以外の場合にも、コンテンツの配信を停止する機能を備えてよい。例えば、コンテンツの利用料の支払いがプリペイド式である場合、残金が０になったとき、権利管理装置１および放送番組管理装置４は、コンテンツの配信を停止する。また、権利管理装置１および放送番組管理装置４は、例えば、１ヶ月間などの視聴時間が予め定められた上限に達した場合に、コンテンツの配信を停止する。
【００９９】
なお、図６のステップＳ２０１からＳ２０６の処理において、権利管理装置１、５は、放送時刻の古い順に、放送時刻毎の権利料を算出するとしたが、放送時刻毎の権利料の算出は、この方法に限定されるものではない。例えば、権利管理装置１、５は、放送時刻の新しい順に、放送時刻毎の権利料を算出してよい。
【０１００】
また、各放送時刻において複数の権利者が存在する場合、権利管理装置１、５は、各権利者が受け取る権利料に重み付けを行って権利料を算出してよい。権利管理装置１、５は、例えば、権利者各々が有する権利の大きさを権利料の算出に反映させ、権利料を算出してよい。この場合、例えば、タグは、権利者各々が有する権利の大きさを示す情報を有する。この情報は、例えば、数値で示される。権利管理装置１、５は、例えば、各放送時刻におけるすべての権利者について権利の大きさを示す情報の数値を合計する。権利管理装置１、５は、合計した数値により権利者各々の有する権利の大きさを示す情報の数値を除算することにより、権利者各々が占める権利の割合を算出する。そして、権利管理装置１、５は、例えば、算出した権利者各々が占める権利の割合に応じて、権利料の単価を算出する。このように、権利管理装置１、５は、例えば、権利者各々が有する権利の大きさに基づいて、コンテンツの単位時間毎の単価をすべての権利者に按分してもよい。
【０１０１】
上述した権利管理装置１、５、放送番組視聴装置２、放送番組提供装置３、および放送番組管理装置４は、内部にコンピュータシステムを有している。そして、操作情報受信制御部１４１、４３１、時間情報取得部１４２、５４１、コンテンツ配信部１４３、４３３、タグ登録部１４４、５４２、算出部１４５、５４３、支払部１５１、５４４、課金部１５２、４３４、操作情報送信制御部２５１、コンテンツ受信制御部２５２、配信要求先選択部３３１、コンテンツ配信中継処理部３３２、検出部４３２、および視聴時間送信制御部４３５の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【０１０２】
また、「コンピュータ読み取り可能な記録媒体」とは、磁気ディスク、光磁気ディスク、ＣＤ−ＲＯＭ、ＤＶＤ−ＲＯＭ、半導体ディスク（ＳＳＤ）、半導体メモリ等をいう。また、このコンピュータプログラムを放送や通信回線によってコンピュータに配信し、この配信を受けたコンピュータが当該プログラムを実行するようにしてもよい。また上記プログラムは、上記処理の一部を実現するためのものであってもよく、さらに前述した処理をコンピュータシステムにすでに記録されているプログラムとの組み合わせで実現できるものであってもよい。
【０１０３】
また、上述した実施形態における権利管理装置１、５、放送番組視聴装置２、放送番組提供装置３、および放送番組管理装置４の一部、または全部を、ＬＳＩ（Ｌａｒｇｅ  Ｓｃａｌｅ  Ｉｎｔｅｇｒａｔｉｏｎ）等の集積回路として実現してもよい。権利管理装置１、５、放送番組視聴装置２、放送番組提供装置３、および放送番組管理装置４の各機能部は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１０４】
権利管理装置１、１１、１２、５…、２、２１…放送番組視聴装置、３…放送番組提供装置、４、４１、４２…放送番組管理装置、１１０、２４０、３１０、４１０、５１０…記憶部、１１１、５１１…タグデータベース記憶部、１１２、５１２…単価情報記憶部、１１３、４１１…視聴者情報記憶部、１１４、４１２…放送時間記憶部、１１５、４１３…コンテンツ記憶部、１２１、４２１…第１通信部、１２２、４２２…第２通信部、１３０、５３０…タグ入力部、１４１、４３１…操作情報受信制御部、１４２、５４１…時間情報取得部、１４３、４３３…コンテンツ配信部、１４４、５４２…タグ登録部、１４５、５４３…算出部、１５０…決済部、１５１、５４４…支払部、１５２、４３４…課金部、２１０…操作入力部、２２０…コンテンツ再生部、２３０、３２０、５２０…通信部、２４１…視聴者識別情報記憶部、２５１…操作情報送信制御部、２５２…コンテンツ受信制御部、３１１…チャンネル情報記憶部、３３１…配信要求先選択部、３３２…コンテンツ配信中継処理部、４３２…検出部、４３５…視聴時間送信制御部
【図１】
2015136004.tif 000003
【図２】
2015136004.tif 000004
【図３】
2015136004.tif 000005
【図４】
2015136004.tif 000006
【図５】
2015136004.tif 000007
【図６】
2015136004.tif 000008
【図７】
2015136004.tif 000009
【図８】
2015136004.tif 000010
【図９】
2015136004.tif 000011
【図１０】
2015136004.tif 000012
【図１１】
2015136004.tif 000013